Podtech/llm-jp-corpus-v4-ja_patent huggingface dataset:
【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  平板状の基板のほぼ中央部に半導体チップをマウントし、この上に環状のリング部材および接着用テープと、平板状のヒートスプレッダー板とを積層して上記半導体チップを収容する中空部を形成した半導体装置において、上記接着用テープにスリットを設けてエアーベントを形成したことを特徴とする半導体装置。
【請求項２】  平板状の基板のほぼ中央部に半導体チップをマウントし、この上に環状のリング部材および接着用テープと、平板状のヒートスプレッダー板とを積層して上記半導体チップを収容する中空部を形成した半導体装置において、上記リング部材にスリットを設けてエアーベントを形成したことを特徴とする半導体装置。
【請求項３】  上記半導体チップと上記ヒートスプレッダー板との間を充填する放熱性樹脂を備えるとともに、上記ヒートスプレッダー板に開口部を設け上記放熱性樹脂を露出させたことを特徴とする請求項１又は２に記載の半導体装置。
【請求項４】  平板状の基板のほぼ中央部に半導体チップをマウントし、この上に環状のリング部材および接着用テープと、平板状のヒートスプレッダー板とを積層して接着させる工程において、環状の凸部を有する加圧ヘッドにより、上記環状の接着テープ部分のみを加圧することを特徴とする半導体装置の製造方法。
【請求項５】  平板状の基板のほぼ中央部に半導体チップをマウントし、この上に環状のリング部材および接着用テープと、平板状のヒートスプレッダー板とを積層して接着させる工程において、カバーフィルムが装着されたヒートスプレッダーおよびリング部材の上記カバーフィルムを剥離用テープに接着した後、上記剥離用テープの送りと上記ヒートスプレッダーおよびリング部材の引き上げにより、上記剥離用テープに接着した上記カバーフィルムから上記ヒートスプレッダーおよびリング部材を引き離すことを特徴とする半導体装置の製造方法。
【請求項６】  第１の面および第２の面を有する基板と、
上記基板の第１の面上に、バンプを介してフリップチップ接合された半導体チップと、
上記基板の第１の面上に、上記半導体チップの周囲の少なくとも一部を囲うように積層して接着されたリング部材および接着用テープと、
上記リング部材および接着用テープの上部に積層され、上記半導体チップの裏面の上部の少なくとも一部を覆うヒートスプレッダー板と、
上記半導体チップの裏面と、上記ヒートスプレッダー板との間を充填する放熱性樹脂とを有しており、
上記半導体チップは、上記基板、リング部材、接着用テープ、およびヒートスプレッダー板により形成される中空部内に配置されており、
上記接着テープに設けられたスリットを介して、上記中空部が外部に開放されていることを特徴とする半導体装置。
【請求項７】  上記基板の第２面上には、外部との電気的接続を得るための半田ボールが形成されていることを特徴とする請求項６に記載の半導体装置。
【請求項８】  上記ヒートスプレッダー板が、上記半導体チップの裏面全面を覆う形状であることを特徴とする請求項６〜７の何れかに記載の半導体装置。
【請求項９】  上記リング部材が、上記半導体チップの周囲を完全に囲う枠状の形状となっていることを特徴とする請求項６〜８の何れかに記載の半導体装置。
【請求項１０】  上記半導体チップと、上記基板の第１面との間を充填する封止部材を有することを特徴とする請求項６〜９の何れかに記載の半導体装置。
【手続補正２】
【補正対象書類名】明細書
【補正対象項目名】００１１
【補正方法】変更
【補正の内容】
【００１１】
また、この発明の請求項５にかかる半導体装置の製造方法は、平板状の基板のほぼ中央部に半導体チップをマウントし、この上に環状のリング部材および接着用テープと、平板状のヒートスプレッダー板とを積層して接着させる工程において、カバーフィルムが装着されたヒートスプレッダーおよびリング部材の上記カバーフィルムを剥離用テープに接着した後、上記剥離用テープの送りと上記ヒートスプレッダーおよびリング部材の引き上げにより、上記剥離用テープに接着した上記カバーフィルムから上記ヒートスプレッダーおよびリング部材を引き離すことを特徴とするものである。
また、この発明の請求項６にかかる半導体装置は、第１の面および第２の面を有する基板と、上記基板の第１の面上に、バンプを介してフリップチップ接合された半導体チップと、上記基板の第１の面上に、上記半導体チップの周囲の少なくとも一部を囲うように積層して接着されたリング部材および接着用テープと、上記リング部材および接着用テープの上部に積層され、上記半導体チップの裏面の上部の少なくとも一部を覆うヒートスプレッダー板と、上記半導体チップの裏面と、上記ヒートスプレッダー板との間を充填する放熱性樹脂とを有しており、上記半導体チップは、上記基板、リング部材、接着用テープ、およびヒートスプレッダー板により形成される中空部内に配置されており、上記接着テープに設けられたスリットを介して、上記中空部が外部に開放されていることを特徴とするものである。
【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】腰掛式便器への給水管の立ち上げ構造
【手続補正２】
【補正対象書類名】明細書
【補正対象項目名】特許請求の範囲
【補正方法】変更
【補正の内容】
【特許請求の範囲】
【請求項１】
便器本体の内側に配置される排水ソケットを介して床面に設置される腰掛式便器への給水管の立ち上げ構造において、
前記給水管が床面から立ち上げられた箇所を前記便器本体で覆うとともに、
前記便器本体の排水口が挿入される排水口挿入部と、前記給水管が挿通される立ち上げ開口部と、が前記排水ソケットの上部に設けられ、
前記便器本体下部には台座部が形成されるとともに、前記台座部の上部平面には前記便器本体の内側に貫通する貫通穴が前記立ち上げ開口部の真上に位置するよう形成され、
前記給水管が前記排水ソケットの立ち上げ開口部及び前記便器本体の貫通穴を挿通するよう立ち上げられることを特徴とする腰掛式便器への給水管の立ち上げ構造。
【請求項２】
前記給水管は、端部が前記排水ソケットの立ち上げ開口部に嵌合されるフランジに挿通されて、前記排水ソケットに対し固定されることを特徴とする請求項１記載の腰掛式便器への給水管の立ち上げ構造。
【請求項３】
前記フランジは前記便器本体の貫通穴より大径の鍔部を備え、
前記鍔部が前記便器本体に当接するまで前記排水ソケットの立ち上げ開口部に嵌入されることを特徴とする請求項２記載の腰掛式便器への給水管の立ち上げ構造。
【請求項４】
前記フランジは周方向に分割され、前記給水管を挟み込んで結合することで、前記フランジの内部に前記給水管を挿通させるよう構成されたことを特徴とする請求項２又は３記載の腰掛式便器への給水管の立ち上げ構造。
【手続補正３】
【補正対象書類名】明細書
【補正対象項目名】０００５
【補正方法】変更
【補正の内容】
【０００５】
【課題を解決するための手段】上記のような課題を解決するために、請求項１記載の発明は、便器本体の内側に配置される排水ソケットを介して床面に設置される腰掛式便器への給水管の立ち上げ構造において、前記給水管が床面から立ち上げられた箇所を前記便器本体で覆うとともに、前記便器本体の排水口が挿入される排水口挿入部と、前記給水管が挿通される立ち上げ開口部と、が前記排水ソケットの上部に設けられ、前記便器本体下部には台座部が形成されるとともに、前記台座部の上部平面には前記便器本体の内側に貫通する貫通穴が前記立ち上げ開口部の真上に位置するよう形成され、前記給水管が前記排水ソケットの立ち上げ開口部及び前記便器本体の貫通穴を挿通するよう立ち上げられることを特徴とする腰掛式便器への給水管の立ち上げ構造とした。これにより、便器の近傍に給水管を別途立ち上げずにすみ、便器本体内側に給水管の立ち上げ部が隠れるため便器周りの意匠性を高めることができる。また、床面から立ち上げられた給水管が立ち上げ開口部で仮保持され、上方から便器本体を載置するだけで便器本体に給水管が挿通されるため、取り付け作業が容易なものとなる。
【手続補正４】
【補正対象書類名】明細書
【補正対象項目名】０００６
【補正方法】変更
【補正の内容】
【０００６】
また、請求項２記載の発明では、前記給水管は、端部が前記排水ソケットの立ち上げ開口部に嵌合されるフランジに挿通されて、前記排水ソケットに対し固定されることとした。
【手続補正５】
【補正対象書類名】明細書
【補正対象項目名】０００７
【補正方法】変更
【補正の内容】
【０００７】
また、請求項３記載の発明では、前記フランジは前記便器本体の貫通穴より大径の鍔部を備え、前記鍔部が前記便器本体に当接するまで前記排水ソケットの立ち上げ開口部に嵌入されることとした。これにより、排水ソケットと便器本体とを確実に固定することが可能となり、省施工が図れる。
【手続補正６】
【補正対象書類名】明細書
【補正対象項目名】０００８
【補正方法】変更
【補正の内容】
【０００８】
また、請求項４記載の発明は、前記フランジは周方向に分割され、前記給水管を挟み込んで結合することで、前記フランジの内部に前記給水管を挿通させるよう構成した。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  イントラモード（Ｉ）で符号化された少なくとも１つの画像の少なくとも１つのブロックを表わし、離散コサイン変換操作（ＤＣＴ）から生じ、各ブロックについてブロックの画素の平均強度を表わす第１の係数（ＤＣ）とブロックの画素間の強度変化を表わす係数（ＡＣ）とからなるデータ（ＡＣ，ＤＣ）を含むビデオデータをＭＰＥＧ２ビデオフォーマットでスクランブルする方法であって、
当該方法が、少なくとも１つの同一のブロック中で、入替ランク（Ｒ）に従って、ブロックの画素間の強度変化を表わす係数（ＡＣ１）を互いの間で入れ替えて新しい係数の組をなすようにすることからなる入れ替え段階を含むことを特徴とする方法。
【請求項２】  イントラモード（Ｉ）で符号化された少なくとも１つの画像の少なくとも１つのブロックを表わし、離散コサイン変換操作（ＤＣＴ）から生じ、各ブロックについてブロックの画素の平均強度を表わす第１の係数（ＤＣ）とブロックの画素間の強度変化を表わす係数（ＡＣ）とからなるデータ（ＡＣ，ＤＣ）を含むビデオデータをＭＰＥＧ２ビデオフォーマットでスクランブルする方法であって、
当該方法が、命令（Ｃ）の作用により選択された係数（ＤＣ２）をブロックの画素の平均強度を表わす係数（ＤＣ１）に置換する段階を有することを特徴とする方法。
【請求項３】  スクランブル解除鍵の作用によりスクランブルされたビデオデータをスクランブル解除する方法であって、
前記ビデオデータが請求項１記載の方法によってスクランブルされたデータであり、
当該方法が前記スクランブル解除鍵を受信し、前記スクランブル解除鍵を用いて前記スクランブルされたビデオデータをスクランブル解除する段階を含んでおり、前記スクランブル解除鍵がブロックの画素間の強度変化を表わす係数（ＡＣ１）の入れ替えのランク（Ｒ）からなることを特徴とする方法。
【請求項４】  スクランブル解除鍵の作用によりスクランブルされたビデオデータをスクランブル解除する方法であって、
前記ビデオデータが請求項２記載の方法によってスクランブルされたデータであり、
当該方法が前記スクランブル解除鍵を受信し、前記スクランブル解除鍵を用いて前記スクランブルされたビデオデータをスクランブル解除する段階を含んでおり、前記スクランブル解除鍵がブロックの画素の平均強度を表わす係数（ＤＣ１）であることを特徴とする方法。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  洗浄ノズル内の流水路の下流端に温水を人体局部へ噴出する噴出口を設けると共に、前記流水路内に空気を取り入れるための取入れ口を洗浄ノズルの外表面に設けた局部洗浄装置において、洗浄ノズルの取入れ口の近傍に取入れ口を設けた面から突出した庇部を設けて成ることを特徴とする局部洗浄装置。
【請求項２】  洗浄ノズルの上面に噴出口を設けると共に、洗浄ノズルの側縦面に取入れ口を設けて成ることを特徴とする請求項１記載の局部洗浄装置。
【請求項３】  洗浄ノズルの取入れ口を設けた面から突出する庇部と前記取入れ口を設けた面とが為す角度を鋭角として成ることを特徴とする請求項１または２記載の局部洗浄装置。
【請求項４】  取入れ口を設ける洗浄ノズルの側縦面に凹み部を形成して該凹み部の底面に取入れ口を形成することで前記凹み部の上側端部の側壁を庇部とし、前記凹み部の下側端部に下方へ行く程該凹み部の底面から洗浄ノズルの側縦面に近付く斜面部を形成して成ることを特徴とする請求項２または３記載の局部洗浄装置。
【請求項５】  庇部に連設して噴出口を覆う保護突起部を設けて成ることを特徴とする請求項１乃至４記載の局部洗浄装置。
【手続補正２】
【補正対象書類名】明細書
【補正対象項目名】０００７
【補正方法】変更
【補正の内容】
【０００７】
【課題を解決するための手段】
上記課題を解決するため、請求項１に係る発明にあっては、洗浄ノズル１１内の流水路２の下流端に温水を人体局部へ噴出する噴出口２０を設けると共に、前記流水路２内に空気を取り入れるための取入れ口３０を洗浄ノズル１１の外表面に設けた局部洗浄装置において、洗浄ノズル１１の取入れ口３０の近傍に取入れ口３０を設けた面から突出した庇部４を設けて成ることを特徴とするものである。このような構成とすることで、取入れ口３０に汚物が付着するのを防止することができ、取入れ口３０が閉塞されて主経路に空気が取り入れられなくなるのを防止可能となる。
【手続補正３】
【補正対象書類名】明細書
【補正対象項目名】０００８
【補正方法】変更
【補正の内容】
【０００８】
また、請求項２の発明は、請求項１の発明において、洗浄ノズル１１の上面１１ａに噴出口２０を設けると共に、洗浄ノズル１１の側縦面１１ｂに取入れ口３０を設けて成ることを特徴とするものである。このような構成とすることで、上面１１ａに噴出口２０を設けると共に側面に取入れ口３０を設けた洗浄ノズル１１において庇部４を形成することができる。
【手続補正４】
【補正対象書類名】明細書
【補正対象項目名】０００９
【補正方法】変更
【補正の内容】
【０００９】
また、請求項３の発明は、請求項１または２の発明において、洗浄ノズル１１の取入れ口３０を設けた面から突出する庇部４と前記取入れ口３０を設けた面とが為す角度を鋭角として成ることを特徴とするものである。このような構成とすることで、庇部４としての側壁４１に汚物が付着しても汚物が落下して除去され易くなる。
【手続補正５】
【補正対象書類名】明細書
【補正対象項目名】００１０
【補正方法】変更
【補正の内容】
【００１０】
また、請求項４の発明は、請求項２または３の発明において、取入れ口３０を設ける洗浄ノズル１１の側縦面１１ｂに凹み部４０を形成して該凹み部４０の底面４２に取入れ口３０を形成することで前記凹み部４０の上側端部の側壁４１を庇部４とし、前記凹み部４０の下側端部に下方へ行く程該凹み部４０の底面４２から洗浄ノズル１１の側縦面１１ｂに近付く斜面部４３を形成して成ることを特徴とするものである。このような構成とすることで、取入れ口３０の近傍に付着した汚物が洗い流され易くなる。
【手続補正６】
【補正対象書類名】明細書
【補正対象項目名】００１１
【補正方法】変更
【補正の内容】
【００１１】
また、請求項５の発明は、請求項１乃至４の発明において、庇部４に連設して噴出口２０を覆う保護突起部４４を設けて成ることを特徴とするものである。このような構成とすることで、汚物が取入れ口３０に付着するのをより一層確実に防止することができる。
【手続補正７】
【補正対象書類名】図面
【補正対象項目名】図１
【補正方法】変更
【補正の内容】
【図１】
2004353206.tif 000001
【手続補正８】
【補正対象書類名】図面
【補正対象項目名】図２
【補正方法】変更
【補正の内容】
【図２】
2004353206.tif 000002
【手続補正９】
【補正対象書類名】図面
【補正対象項目名】図３
【補正方法】変更
【補正の内容】
【図３】
2004353206.tif 000003
【手続補正書】
【提出日】平成18年5月30日(2006.5.30)
【手続補正１】
【補正対象書類名】明細書
【補正対象項目名】特許請求の範囲
【補正方法】変更
【補正の内容】
【特許請求の範囲】
【請求項１】  被処理物が収容され、外部から導入される熱流体の熱によってこの被処理物が加熱されるように構成された乾燥処理部と、この乾燥処理部に管路を介して連結された真空圧発生部とを備えており、上記管路には、開閉制御可能な弁装置が介装されていることを特徴とする、乾燥装置。
【請求項２】  上記熱流体は、蒸気が用いられる、請求項１に記載の乾燥装置。
【請求項３】  上記真空圧発生部は、容器と、この容器内に接続された蒸気導入管と、この容器内に冷却配管が導入された凝縮器とを備えて構成されている、請求項２に記載の乾燥装置。
【請求項４】  上記真空圧発生部は、蒸気を作動流体とするエゼクタによって構成されている、請求項２に記載の乾燥装置。
【請求項５】  上記乾燥処理部に導入される熱流体としての蒸気と、上記真空圧発生部の容器に導入される、あるいは、上記エゼクタの作動流体としての蒸気とは、共通の蒸気源が用いられる、請求項３または４に記載の乾燥装置。
【請求項６】  請求項１ないし５のいずれかに記載の乾燥装置を用いた乾燥方法であって、
上記乾燥処理部における処理を継続しつつ、上記弁装置を適当間隔で短期間開とすることを特徴とする、乾燥方法。
【手続補正書】
【提出日】平成18年4月10日(2006.4.10)
【手続補正１】
【補正対象書類名】明細書
【補正対象項目名】００３１
【補正方法】変更
【補正の内容】
【００３１】
【発明の実施の形態】
以下、本発明の実施形態について、ソイルセメント壁工法への適用例に基づき詳説する。
図１は、本発明に係るソイルセメント壁工法の概要図を示している。符号１はオーガーロッド２を備えた一般的な削孔機を示しており、この削孔機はオーガーロッド２を正逆回転しうるように、また下降・上昇しうるように構成されている。また、オーガーロッド２は基端部から供給されるセメントスラリーを先端部の吐出口２ｘから吐出しうるようになっている。通常のソイルセメント壁工法に用いる削孔機は、改良範囲がラップするように並設された複数軸のオーガーロッドを備えており、本発明でもこれを好適に用いることができるが、単軸の削孔機を用いても良い。またオーガーロッド２としては、図示のようにスクリュー（螺旋）羽根２ｗのみ備えるもののほか、スクリュー羽根を主体とし、攪拌性を高めるべく攪拌羽根が適所に追加されているものが知られているが、本発明ではいずれも用いることができる。
【手続補正書】
【提出日】平成18年3月28日(2006.3.28)
【手続補正１】
【補正対象書類名】明細書
【補正対象項目名】請求項１
【補正方法】変更
【補正の内容】
【請求項１】表面に塗装などの化粧が施されるとともに雄実と雌実との嵌合を介して連接施工される床板において、雄実および雌実の上方にはこれらが嵌合されたときに互いに協働して所定形状の床溝を形成する床溝形成面が設けられ、雄実側の床溝形成面の下縁から雄実の基端側に向けて徐々に後退する非露出面が形成されるとともに、雌実側の床溝形成面の下縁から雌実の開口縁側に向けて徐々に突出する露出可能面が非露出面に対応するものとして形成され、表面、雄実側および雌実側の床溝形成面とともに露出可能面にも化粧が施されることを特徴とする床板。
【手続補正２】
【補正対象書類名】明細書
【補正対象項目名】０００７
【補正方法】変更
【補正の内容】
【０００７】
この目的を達成するため、請求項１にかかる本発明は、表面に塗装などの化粧が施されるとともに雄実と雌実との嵌合を介して連接施工される床板において、雄実および雌実の上方にはこれらが嵌合されたときに互いに協働して所定形状の床溝を形成する床溝形成面が設けられ、雄実側の床溝形成面の下縁から雄実の基端側に向けて徐々に後退する非露出面が形成されるとともに、雌実側の床溝形成面の下縁から雌実の開口縁側に向けて徐々に突出する露出可能面が非露出面に対応するものとして形成され、表面、雄実側および雌実側の床溝形成面とともに露出可能面にも化粧が施されることを特徴とする床板である。
【手続補正３】
【補正対象書類名】明細書
【補正対象項目名】００１３
【補正方法】変更
【補正の内容】
【００１３】
床板１０の対向する一対の縁の一方に雄実１１、他方に雌実１２が形成されている。雄実１１の上方には表面１３の雄実側縁から所定角度に傾斜する傾斜面１４が形成されるとともに、雌実１２の上方には表面１３の雌実側縁から傾斜面１４と同一角度で傾斜する傾斜面１５が形成されている。これら傾斜面１４，１５は、雄実１１と雌実１２との嵌合により床板１０，１０同士を連接施工したときに協働してＶ字状の床溝を与える。図示実施形態では平面状の傾斜面１４，１５としてＶ字状の床溝を形成するようにしているが、これは一例にすぎず、これら傾斜面１４，１５を円弧状の面として形成して嵌合による床板連接時に半円弧状や略Ｕ字状の床溝を形成したり、その他任意形状の床溝を形成するための任意の床溝形成面とすることができる。
【手続補正４】
【補正対象書類名】明細書
【補正対象項目名】００２１
【補正方法】変更
【補正の内容】
【００２１】
この床板１０においては、雌実１２側の傾斜面１５から下方に連続する円弧状凹面１９に一連の化粧が施されているため、床板１０の雄実１１と雌実１２とを嵌合させた状態（図２）において、雄実１１と雌実１２との間に隙間があっても、傾斜面１４，１５によって形成されるＶ溝の奥底部から、化粧（塗装）が施されている円弧状凹面１９が表面側に露出するだけで、無塗装部分が露出することがなく、美観を低下させない。
【手続補正５】
【補正対象書類名】明細書
【補正対象項目名】符号の説明
【補正方法】変更
【補正の内容】
【符号の説明】
１０  床板
１１  雄実
１２  雌実
１３  床板表面
１４，１５  傾斜面（床溝形成面）
１６  垂直面（雄実側垂直面）
１７  円弧状凸面（非露出面）
１８  垂直面（雌実側垂直面）
１９  円弧状凹面（露出可能面）
【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  タービンケーシングを外部ケーシングと内部ケーシングとの二重構造に形成し、前記内部ケーシングの出口側にチップフローガイドとルートフローガイドとで構成するディフューザを備え、このディフューザの出口側に前記外部ケーシングとベアリングコーンとで囲われるタービン排気室を備えた蒸気タービンにおいて、前記チップフローガイドのうち、チップフローガイド上半部は、前記外部ケーシングの側に支持されることを特徴とする蒸気タービン。
【請求項２】  ベアリングコーンのうち少なくとも上半部は、外部ケーシングに固定されるとともに、当該ベアリングコーン上半部から延ばしたストラットによってチップフローガイド上半部を支持したことを特徴とする請求項１記載の蒸気タービン。
【請求項３】  ストラットは、チップフローガイド上半部の周方向に沿い、横断中心線を基点に角度３０°以上の左右に振り分けた位置と、縦断中心線の位置とのそれぞれに配設させたことを特徴とする請求項２記載の蒸気タービン。
【請求項４】  外部ケーシング上半部には補強リブが固設されるとともに、当該補強リブよってチップフローガイド上半部を支持したことを特徴とする請求項１記載の蒸気タービン。
【請求項５】  外部ケーシング上半部には整流板が固設されるとともに、当該整流板によってチップフローガイド上半部を支持したことを特徴とする請求項１記載の蒸気タービン。
【請求項６】  チップフローガイド上半部の入口側と内部ケーシング上半部との間に隙間を形成し、この隙間に流れ転向要素を装着したことを特徴とする請求項１乃至５のいずれか１項記載の蒸気タービン。
【請求項７】  流れ転向要素は、チップフローガイド上半部との間に吹出口を形成したことを特徴とする請求項６記載の蒸気タービン。
【請求項８】  吹出口は、軸方向に対し、角度０°から３０°の範囲に形成したことを特徴とする請求項７記載の蒸気タービン。
【請求項９】  流れ転向要素の内径をＤ１とし、前記チップフローガイド上半部の内径をＤ２とするとき、Ｄ１＜Ｄ２の関係式を満たす一方、前記流れ転向要素と前記チップフローガイド上半部との間に通路を形成したことを特徴とする請求項６乃至８のいずれか１項記載の蒸気タービン。
【請求項１０】  通路は、略Ｌ字状に形成したことを特徴とする請求項９記の蒸気タービン。
【請求項１１】  チップフローガイド上半部の入口側と内部ケーシング上半部の間に隙間を形成し、この隙間にシール部を装着したことを特徴とする請求項１乃至５のいずれか１項記載の蒸気タービン。
【請求項１２】  シール部は、閉鎖片とラビリンスパッキング片とを組み合わせたことを特徴とする請求項１１記載の蒸気タービン。
【請求項１３】  シール部は、切欠溝を備えた閉鎖片とリング状弾性片とを組み合わせたことを特徴とする請求項１１記載の蒸気タービン。
【請求項１４】  シール部は、閉鎖片とブラシシール片とを組み合わせたことを特徴とする請求項１１記載の蒸気タービン。
【請求項１５】  ストラット内にスプレー管を挿通させたことを特徴とする請求項２記載の蒸気タービン。
【手続補正２】
【補正対象書類名】明細書
【補正対象項目名】００３０
【補正方法】変更
【補正の内容】
【００３０】
【課題を解決するための手段】
本発明に係る蒸気タービンは、上述の目的を達成するために、請求項１に記載したように、タービンケーシングを外部ケーシングと内部ケーシングとの二重構造に形成し、前記内部ケーシングの出口側にチップフローガイドとルートフローガイドとで構成するディフューザを備え、このディフューザの出口側に前記外部ケーシングとベアリングコーンとで囲われるタービン排気室を備えた蒸気タービンにおいて、前記チップフローガイドのうち、チップフローガイド上半部は、前記外部ケーシングの側に支持されるものである。
【手続補正３】
【補正対象書類名】明細書
【補正対象項目名】００３１
【補正方法】変更
【補正の内容】
【００３１】
また、本発明に係る蒸気タービンは、上述の目的を達成するために、請求項２に記載したように、ベアリングコーンのうち少なくとも上半部は、外部ケーシングに固定されるとともに、当該ベアリングコーン上半部から延ばしたストラットによってチップフローガイド上半部を支持したものである。
【手続補正４】
【補正対象書類名】明細書
【補正対象項目名】００３４
【補正方法】変更
【補正の内容】
【００３４】
また、本発明に係る蒸気タービンは、上述の目的を達成するために、請求項４に記載したように、外部ケーシング上半部には補強リブが固設されるとともに、当該補強リブよってチップフローガイド上半部を支持したものである。
【００３３】
【手続補正５】
【補正対象書類名】明細書
【補正対象項目名】００３５
【補正方法】変更
【補正の内容】
【００３５】
また、本発明に係る蒸気タービンは、上述の目的を達成するために、請求項５に記載したように、外部ケーシング上半部には整流板が固設されるとともに、当該整流板によってチップフローガイド上半部を支持したものである。
【手続補正６】
【補正対象書類名】明細書
【補正対象項目名】００３６
【補正方法】変更
【補正の内容】
【００３６】
また、本発明に係る蒸気タービンは、上述の目的を達成するために、請求項６に記載したように、チップフローガイド上半部の入口側と内部ケーシング上半部との間に隙間を形成し、この隙間に流れ転向要素を装着したものである。
【手続補正７】
【補正対象書類名】明細書
【補正対象項目名】００３８
【補正方法】変更
【補正の内容】
【００３８】
また、本発明に係る蒸気タービンは、上述の目的を達成するために、請求項９に記載したように、流れ転向要素の内径をＤ１とし、前記チップフローガイド上半部の内径をＤ２とするとき、Ｄ１＜Ｄ２の関係式を満たす一方、前記流れ転向要素と前記チップフローガイド上半部との間に通路を形成したものである。
【手続補正８】
【補正対象書類名】明細書
【補正対象項目名】００４０
【補正方法】変更
【補正の内容】
【００４０】
また、本発明に係る蒸気タービンは、上述の目的を達成するために、請求項１１に記載したように、チップフローガイド上半部の入口側と内部ケーシング上半部の間に隙間を形成し、この隙間にシール部を装着したものである。
【手続補正９】
【補正対象書類名】明細書
【補正対象項目名】００４４
【補正方法】変更
【補正の内容】
【００４４】
また、本発明に係る蒸気タービンは、上述の目的を達成するために、請求項１５に記載したように、ストラット内にスプレー管を挿通させたものである。
【手続補正１０】
【補正対象書類名】明細書
【補正対象項目名】００８３
【補正方法】変更
【補正の内容】
【００８３】
【発明の効果】
以上説明のとおり、本発明によれば、組立・分解作業が容易で、かつディフューザの静圧回復力を向上させたタービン排気室を提供できる。
【手続補正１１】
【補正対象書類名】明細書
【補正対象項目名】００８４
【補正方法】削除
【補正の内容】
【手続補正書】
【提出日】平成18年3月31日(2006.3.31)
【手続補正１】
【補正対象書類名】明細書
【補正対象項目名】発明の名称
【補正方法】変更
【補正の内容】
【発明の名称】開閉弁及び開閉弁を有する打込機
【手続補正２】
【補正対象書類名】明細書
【補正対象項目名】特許請求の範囲
【補正方法】変更
【補正の内容】
【特許請求の範囲】
【請求項１】  流体を内部に流通させる略円筒状のブッシュと、該円筒内部と大気を連通させる穴と、ブッシュの外周軸方向に摺動して穴を開閉する開閉操作子と、該開閉操作子の抜け止め用弾性体を備えた流体開閉弁であって、
抜け止め用弾性体に開閉操作子の位置決め作用を持たせた開閉弁。
【請求項２】  抜け止め用弾性体をブッシュ外周に冠着させ、開閉操作子に冠着させた抜け止め用弾性体と同等以上の外径の位置決め用溝と、該抜け止め用弾性体と軸方向に摺動する摺動面と、開閉操作子が一定距離しか摺動しないようにする壁を設け、位置決め用溝、摺動面、壁の順番に直径を大きくしたことを特徴とする請求項１記載の開閉弁。
【請求項３】  抜け止め用弾性体の中心位置と、前記壁と開閉操作子のブッシュとの摺動内径の交点を結んだ線の延長線が、前記ブッシュ外周に設けた溝の側壁と外周との交点よりブッシュ軸心側にあることを特徴とする請求項１記載の開閉弁。 
【請求項４】  開閉操作子の位置決めを、前記摺動面と開閉操作子の端面の交点で行うことを特徴とする請求項１記載の開閉弁。 
【請求項５】  流体を内部に流通させる略円筒状のブッシュと、該円筒内部と大気を連通させる穴と、ブッシュの外周軸方向に摺動して穴を開閉する開閉操作子と、該開閉操作子内側に装着されたシール部材とブッシュ外周上に該シール部材を係合させて位置決めする溝を備え、ブッシュ内部と大気遮断時には前記穴の軸方向上下にシール部材が位置し、連通時には前記穴の軸方向片側にシール部材が移動する構成の流体開閉弁であって、
開閉操作子遮断位置でシールと溝に係合することによる位置決めを兼用するシール部材が、連通位置のときに遮断位置より締め代が小さくなるように構成したことを特徴とする開閉弁。
【請求項６】  本体内に設けられているシリンダと、該シリンダ内に摺動可能に設けられ、且つドライバブレードを有するピストンと、流体を内部に流通させる略円筒状のブッシュと、該円筒内部と大気を連通させる穴と、ブッシュの外周軸方向に摺動して穴を開閉する開閉操作子と、該開閉操作子の抜け止め用弾性体を備えた流体開閉弁を有する打込機であって、
抜け止め用弾性体に開閉操作子の位置決め作用を持たせたことを特徴とする開閉弁を有する打込機。
【請求項７】  本体内に設けられているシリンダと、該シリンダ内に摺動可能に設けられ、且つドライバブレードを有するピストンと、流体を内部に流通させる略円筒状のブッシュと、該円筒内部と大気を連通させる穴と、ブッシュの外周軸方向に摺動して穴を開閉する開閉操作子と、該開閉操作子内側に装着されたシール部材とブッシュ外周上に該シール部材を係合させて位置決めする溝を備え、ブッシュ内部と大気遮断時には前記穴の軸方向上下にシール部材が位置し、連通時には前記穴の軸方向片側にシール部材が移動する構成の流体開閉弁を有する打込機であって、
開閉操作子遮断位置でシールと溝に係合することによる位置決めを兼用するシール部材が、連通位置のときに遮断位置より締め代が小さくなるように構成したことを特徴とする開閉弁を有する打込機。
【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  弁室、該弁室に形成された弁座、及び該弁座に接離して冷媒の通過流量を調節する弁体を有する弁本体と、該弁本体に固着され前記弁体を前記弁座に接離させるロータを内蔵するキャンと、該キャンに外嵌され前記ロータを回転駆動するステータとを備えた電動弁において、
前記弁本体と前記ステータのヨークとを電気的に接続する手段を設けたことを特徴とする電動弁。
【請求項２】  前記弁本体と前記ヨークとを電気的に接続する手段が、前記弁本体と電気的に接続され前記ステータを前記キャンに回転しないように固定する回り止め部材と、該回り止め部材と前記ヨークとの間に設けた導電性樹脂とにより構成されたことを特徴とする請求項１に記載の電動弁。
【請求項３】  前記弁本体と前記ヨークとを電気的に接続する手段が、前記弁本体と電気的に接続され前記ステータを前記キャンに回転しないように固定する回り止め部材と、該回り止め部材を前記ステータに固定するとともに一端が前記ヨークに接触している導電性固定ピンとにより構成されたことを特徴とする請求項１に記載の電動弁。
【請求項４】  前記導電性固定ピンがインサートモールドによって前記ステータに一体成型されており、前記回り止め部材がかしめによって前記導電性固定ピンに固定されたことを特徴とする請求項３に記載の電動弁。
【請求項５】  前記導電性固定ピンが、前記ステータをモールド成型する際に形成された前記ヨークに達する導電性固定ピン挿入孔に挿入されて前記ステータと一体化されており、前記回り止め部材がかしめによって前記導電性固定ピンに固定されたことを特徴とする請求項３に記載の電動弁。
【手続補正書】
【提出日】平成18年3月8日(2006.3.8)
【手続補正１】
【補正対象書類名】明細書
【補正対象項目名】００２６
【補正方法】変更
【補正の内容】
【００２６】
ころがり軸受５をギヤケース８の内周に嵌合して外輪５ｂの前側を前側の外側止め部２４の外側段差部２６に支持した状態で、外側止め体３３（拡径する向きの弾性力を有する穴用Ｃ形止め輪）の楔部３５を外側止め溝３２に係入すると、その弾性力により後端面３６ｃが後側面３４ｃに圧接される。この圧接により、外側止め体３３にはモータ出力側回転軸４の軸心４ａの方向Ｘに移動力Ｆが生じる。その移動力Ｆにより楔部３５の前端面３６ｂが外輪５ｂの後側に圧接され、その移動力Ｆを外側段差部２６が受ける。従って、ころがり軸受５の外輪５ｂは後側の外側止め部２２と前側の外側止め部２４との間で挟持される。
【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】
軸体の径方向外方に、一方向クラッチを介して、プーリが設けてあり、
前記一方向クラッチの両側であって、前記プーリと前記軸体との間には、ラジアル荷重を支える２つの転がり軸受が配置してある一方向クラッチ内蔵型プーリ装置において、
前記軸体の内周面には回転軸を固着するためのネジ部が形成してあり、
２つの前記転がり軸受の自由状態に於けるラジアル隙間を、夫々、異ならせていることを特徴とする一方向クラッチ内蔵型プーリ装置。
【請求項２】
軸体の径方向外方に、一方向クラッチを介して、プーリが設けてあり、
前記一方向クラッチの両側であって、前記プーリと前記軸体との間には、ラジアル荷重を支える２つの転がり軸受が配置してある一方向クラッチ内蔵型プーリ装置において、
前記軸体の内周面には回転軸を固着するためのネジ部が形成してあり、
前記軸体は、その外周面に、２つの前記転がり軸受を夫々外嵌すると共にその外径寸法が異なる小径部と大径部とを有していることを特徴とする一方向クラッチ内蔵型プーリ装置。
【請求項３】
前記プーリ装置は、自動車の補機に装着されることを特徴とする請求項１又は２に記載の一方向クラッチ内蔵型プーリ装置。
【請求項４】
前記プーリ装置は、取付前の自由状態において補機側の軸受が反補機側の軸受よりもラジアル隙間が大きいことを特徴とする請求項３項に記載の一方向クラッチ内蔵型プーリ装置。
【請求項５】
前記プーリ装置は、自動車のオルタネータに装着されることを特徴とする請求項３又は４項に記載の一方向クラッチ内蔵型プーリ装置。
【請求項６】
前記プーリ装置は、自動車のスタータに装着されることを特徴とする請求項３又は４に記載の一方向クラッチ内蔵型プーリ装置。
【手続補正２】
【補正対象書類名】明細書
【補正対象項目名】００１５
【補正方法】変更
【補正の内容】
【００１５】
【課題を解決するための手段】
上記の目的を達成するため、本発明の請求項１に係る一方向クラッチ内蔵型プーリ装置は、軸体の径方向外方に、一方向クラッチを介して、プーリが設けてあり、
前記一方向クラッチの両側であって、前記プーリと前記軸体との間には、ラジアル荷重を支える２つの転がり軸受が配置してある一方向クラッチ内蔵型プーリ装置において、
前記軸体の内周面には回転軸を固着するためのネジ部が形成してあり、
２つの前記転がり軸受の自由状態に於けるラジアル隙間を、夫々、異ならせていることを特徴とする。
【手続補正３】
【補正対象書類名】明細書
【補正対象項目名】００１６
【補正方法】変更
【補正の内容】
【００１６】
また、本発明の請求項２に係る一方向クラッチ内蔵型プーリ装置は、軸体の径方向外方に、一方向クラッチを介して、プーリが設けてあり、
前記一方向クラッチの両側であって、前記プーリと前記軸体との間には、ラジアル荷重を支える２つの転がり軸受が配置してある一方向クラッチ内蔵型プーリ装置において、
前記軸体の内周面には回転軸を固着するためのネジ部が形成してあり、
前記軸体は、その外周面に、２つの前記転がり軸受を夫々外嵌すると共にその外径寸法が異なる小径部と大径部とを有していることを特徴とする。
【手続補正４】
【補正対象書類名】明細書
【補正対象項目名】００１８
【補正方法】変更
【補正の内容】
【００１８】
さらに、本発明の請求項５に係る一方向クラッチ内蔵型プーリ装置は、請求項３又は４において、前記プーリ装置は、自動車のオルタネータに装着されることを特徴とする。
【手続補正５】
【補正対象書類名】明細書
【補正対象項目名】００１９
【補正方法】変更
【補正の内容】
【００１９】
さらに、本発明の請求項６に係る一方向クラッチ内蔵型プーリ装置は、請求項３又は４において、前記プーリ装置は、自動車のスタータに装着されることを特徴とする。
【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】
内周面に外輪軌道を有する外輪と、外周面に内輪軌道を有する内輪と、前記外輪軌道と前記内輪軌道との間に転動自在に設けられた複数の転動体と、前記外輪の内周面と前記内輪の外周面との間で前記転動体を設けた空間の軸方向開口部を塞ぐシール装置とを備えた転がり軸受において、前記シール装置の所定の空間に、４０℃における基油の動粘度が３０ｍｍ２／ｓ以上２３０ｍｍ２／ｓ以下であるグリースを封入したことを特徴とする転がり軸受。
【請求項２】
自動車のハブユニット用軸受のシールリップの空間に、前記グリースを封入した、請求項１記載の転がり軸受。
【手続補正２】
【補正対象書類名】明細書
【補正対象項目名】０００７
【補正方法】変更
【補正の内容】
【０００７】
【課題を解決するための手段】
本発明は、内周面に外輪軌道を有する外輪と、外周面に内輪軌道を有する内輪と、前記外輪軌道と前記内輪軌道との間に転動自在に設けられた複数の転動体と、前記外輪の内周面と前記内輪の外周面との間で前記転動体を設けた空間の軸方向開口部を塞ぐシール装置とを備えた転がり軸受において、前記シール装置の所定の空間に、４０℃における基油の動粘度が３０ｍｍ２／ｓ以上２３０ｍｍ２／ｓ以下であるグリースを封入したことを特徴とする転がり軸受を提供するものである。
本発明の転がり軸受は、かかる構成からなるため、長寿命と低トルクとを両立させることができ、低コストで高信頼性を有するものである。
また、本発明は、自動車のハブユニット用軸受のシールリップの空間に、前記グリースを封入した、前記転がり軸受を提供する。
【手続補正書】
【提出日】平成17年11月10日(2005.11.10)
【手続補正１】
【補正対象書類名】明細書
【補正対象項目名】０００６
【補正方法】変更
【補正の内容】
【０００６】
前述した駆動輪用の車輪支持用転がり軸受ユニット１にしても、上述した従動輪用の車輪支持用転がり軸受ユニット１ａにしても、各転動体１１、１１を設置した空間１４の両端開口部を密封するシール装置１３ａ、１３ｂは、図３〜４に示す様に構成している。これら両シール装置１３ａ、１３ｂのうち、上記空間１４の内端開口部を塞ぐシール装置１３ａは、図３に示す様に、芯金１７と、スリンガ１８と、シール部材１９とから成る。このうちの芯金１７は、低炭素鋼板等の金属板にプレス加工等の打ち抜き加工並びに塑性加工を施す事により、一体成形している。この様な芯金１７は、外輪２、２ａ（図１〜２）の内端部内周面に内嵌固定自在な外径側円筒部２０と、この外径側円筒部２０の軸方向端縁（図３の左端縁）から直径方向内方に折れ曲がった内側円輪部２１とを備えた、断面略Ｌ字形で全体を円環状としている。
【手続補正２】
【補正対象書類名】明細書
【補正対象項目名】００３９
【補正方法】変更
【補正の内容】
【００３９】
更に、有機過酸化物としては、例えば、ｔ−ブチルヒドロペルオキシド、２，５−ジメチルヘキサン−２，５−ジヒドロペルオキシド、ジ−ｔ−ブチルペルオキシド、ジクミルペルオキシド、ｔ−ブチルクミルペルオキシド、１，１−ビス（ｔ−ブチルペルオキシ）シクロドデカン、２，２−ビス（ｔ−ブチルペルオキシ）シクロヘキサン、２，５−ジメチル−２，５−ジ（ｔ−ブチルペルオキシ）ヘキサン、２，５−ジメチル−２，５−ジ（ｔ−ブチルペルオキシ）へキシン−３、１，３−ビス（ｔ−ブチルペルオキシイソプロピル）ベンゼン、２，５−ジメチル−２，５−ジ（ベンゾイルペルオキシ）ヘキサン、１，１−ビス（ｔ−ブチルペルオキシ）−３，３，５−トリメチルシロキサン、ｎ−ブチル−４，４−ビス（ｔ−ブチルペルオキシ）バレレート、ベンゾイルペルオキシド、ｍ−トレイルペルオキシド、ｔ−ブチルペルオキシベンゾエート、ｔ−ブチルペルオキシイソプロピルカルボナート、ｔ−ブチルペルオキシアリルカルボナート等が挙げられる。これらの有機過酸化物は、上記ゴム組成物の成形方法や成形温度等に応じて、適宜選択使用される。又、有機化酸化物の配合量は、アクリロニトリルブタジエンゴム１００重量部に対して1 〜１０重量部が好ましい。
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
動力伝達用チェーンであって、
各々一対の開孔が形成されかつ長さ方向および厚み方向に積層されるとともに、各開孔内に挿入された連結ピンにより各々枢支可能に連結された複数の内側リンクからなるリンク列を有し、各々一対の開孔を有するガイドリンクが一つおきのリンク列の外側に配置されており、これにより、チェーンが、ガイドリンクを含むガイド列と、ガイドリンクを含まないノン・ガイドリンク列とから構成されており、連結ピンが第１のロッカーピンと第２のピンから構成されるとともに、第１のロッカーピンがすべての内側リンクを越える位置まで延びており、第２のピンがガイドリンクを越える位置まで延びるとともにその端部がガイドリンクの開孔に固定されており、
チェーンの両側部において、ガイドリンクとこれと隣り合う最外側の内側リンクとの間に配置され、ガイドリンクと最外側の内側リンクとの間の離間関係を維持するように作用するスペーサ要素を備え、
スペーサ要素の少なくとも一つが、厚み方向に隣り合う各内側リンク間に押付力を作用させて摩擦力を発生させるばねリンクであって、チェーン長手方向に隣り合う連結ピンの間に延設されるとともに、隣り合う各連結ピンにおける第１および第２のロッカーピンが最外側の内側リンクと連係しており、第１のロッカーピンがノン・ガイド列における最外側の内側リンクの開孔を挿通して延びており、ばねリンクによりガイドリンクと最外側の内側リンクとの間にスペースが形成され、第１および第２のロッカーピンが最外側の内側リンクの開孔内において全幅を支持している、
ことを特徴とする動力伝達用チェーン。
【請求項２】
請求項１において、
チェーンの両側部に配置されるスペーサ要素がいずれもばねリンクである、
ことを特徴とする動力伝達用チェーン。
【請求項３】
請求項１において、
チェーンの一方の側部に配置されるスペーサ要素がばねリンクであり、チェーンの他方の側部に配置されるスペーサ要素がワッシャーである、
ことを特徴とする動力伝達用チェーン。
【請求項４】
請求項１において、
チェーンの一方の側部に配置されるスペーサ要素がばねリンクであり、チェーンの他方の側部に配置されるスペーサ要素が、最外側の内側リンクの外側面に形成されてガイドリンクの側に突出する複数の突起部である、
ことを特徴とする動力伝達用チェーン。
【請求項５】
請求項１において、
チェーンの一方の側部に配置されるスペーサ要素がばねリンクであり、チェーンの他方の側部に配置されるスペーサ要素が、ガイドリンクの内側面に形成されて最外側の内側リンクの側に突出する複数の突起部である、
ことを特徴とする動力伝達用チェーン。
【請求項６】
請求項１において、
チェーンの一方の側部に配置されるスペーサ要素がばねリンクであり、チェーンの他方の側部に配置されるスペーサ要素が、ガイドリンクの中央に形成された中央湾曲端部である、
ことを特徴とする動力伝達用チェーン。
【請求項７】
請求項１において、
スペーサ要素が、ガイドリンクおよび最外側の内側リンク間のスペースを維持している、
ことを特徴とする動力伝達用チェーン。
【請求項８】
請求項１において、
第２のピンがガイドリンクの開孔に圧入されている、
ことを特徴とする動力伝達用チェーン。
【請求項９】
請求項１において、
連結ピンが断面円形の丸ピンである、
ことを特徴とする動力伝達用チェーン。
【手続補正２】
【補正対象書類名】明細書
【補正対象項目名】００２３
【補正方法】変更
【補正の内容】
【００２３】
請求項１の発明に係る動力伝達用チェーンは、各々一対の開孔が形成されかつ長さ方向および厚み方向に積層されるとともに、各開孔内に挿入された連結ピンにより枢支可能に連結された複数の内側リンクからなるリンク列を有しており、各々一対の開孔を有するガイドリンクが一つおきのリンク列の外側に配置されている。チェーンは、ガイドリンクを含むガイド列と、ガイドリンクを含まないノン・ガイドリンク列とから構成されている。連結ピンは、第１のロッカーピンと第２のピンから構成されるとともに、第１のロッカーピンがすべての内側リンクを越える位置まで延びており、第２のピンがガイドリンクを越える位置まで延びるとともにその端部がガイドリンクの開孔に固定されている。チェーンの両側部には、ガイドリンクとこれと隣り合う最外側の内側リンクとの間の離間関係を維持するように作用するスペーサ要素が設けられている。スペーサ要素の少なくとも一つは、各内側リンク間に押付力を作用させて摩擦力を発生させるばねリンクであって、チェーン長手方向に隣り合う連結ピンの間に延設されるとともに、隣り合う各連結ピンにおける第１および第２のロッカーピンが最外側の内側リンクと連係しており、第１のロッカーピンがノン・ガイド列における最外側の内側リンクの開孔を挿通して延びており、ばねリンクによりガイドリンクと最外側の内側リンクとの間にスペースが形成され、第１および第２のロッカーピンが最外側の内側リンクの開孔内において全幅を支持している。
【手続補正３】
【補正対象書類名】明細書
【補正対象項目名】００３０
【補正方法】変更
【補正の内容】
【００３０】
請求項８の発明では、請求項１において、第２のピンがガイドリンクの開孔に圧入されている。
【手続補正書】
【提出日】平成18年2月23日(2006.2.23)
【手続補正１】
【補正対象書類名】明細書
【補正対象項目名】０００９
【補正方法】変更
【補正の内容】
【０００９】
この燃料噴射ノズル５１では、通気路６９に陽圧の空気が通され、通気路６９に露出されている囲い管６７の掃気空気導入口７７からこの空気が囲い管６７の内側に導入される。囲い管６７の内側にはノズル先端部３７との間に円環空間となる間隙が形成され、この円環空間は掃気空気出口４１となって燃料噴射口３５を包囲して開口される。そして、掃気空気導入口７７を介して囲い管６７の内側に導入される空気は、掃気空気導入口７７が囲い管６７の中心７９を通る半径方向の仮想線８１に対して所定角度αを有していることで、囲い管６７の軸線回りに旋回しながら流下し、掃気空気出口４１から旋回掃気空気流となって供給される。
【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  
電源断前の遊技状態に関する所定情報を記憶する記憶手段と、
電源復帰または電源入とされると前記記憶手段の記憶内容に基づいて電源断前の遊技状態に復帰させる状態復帰手段と、
消去指示に基づいて前記記憶手段の記憶内容を消去する消去手段と、
前記記憶手段の記憶内容が前記消去手段により消去されてから所定条件が成立するまでの間にわたって報知処理の実行を示唆する示唆要素を不揮発的に記憶保持する示唆要素記憶保持手段と、
前記記憶手段の記憶内容が前記消去手段により消去されると、前記示唆要素記憶保持手段での示唆要素に基づいて当該消去に関する報知を行う報知手段と
を備えていることを特徴とする遊技機。
【請求項２】  
請求項１に記載の遊技機において、
さらに、特別遊技状態となるか否かを決定するための第１乱数群を発生させる第１乱数発生手段と、
前記第１乱数発生手段での第１乱数群の初期値を決定するための第１乱数初期値群を発生させる第１乱数初期値発生手段と
を備え、
前記示唆要素記憶保持手段は、前記第１乱数発生手段で発生される第１乱数の値が一巡して上限値に達し、なおかつ、前記第１乱数初期値発生手段での第１乱数初期値群の一の値を第１乱数の初期値とするまでを、前記所定条件の成立として検出する条件成立検出手段を備えていることを特徴とする遊技機。
【請求項３】  
請求項１に記載の遊技機において、
前記示唆要素記憶保持手段は、
前記消去手段により前記記憶手段の記憶内容が消去されると計時を開始し、当該計時が所定の値に到達するまで計時を継続する計時手段
を備え、
前記報知手段は、前記記憶手段の記憶内容が前記消去手段により消去されると、前記計時手段での計時が終了するまで、当該消去に関する報知を行う
ことを特徴とする遊技機。